(57)【要約】【課題】端子カバー支持部材の取り付け作業効率を向上させることができる端子カバー支持部材の固定構造を提供する。【解決手段】導電棒１３の電線接続側に設けられた端子部３２に端子カバー支持部材１４を固定するための係合構造４１を設け、この係合構造４１に端子カバー支持部材１４を係合させるようにした。このため、端子カバー支持部材１４を端子部３２に挿通し、端子カバー支持部材１４を導電部３１側に押し込むことにより端子カバー支持部材１４は端子部３２に係合される。従って、端子カバー支持部材１４を導電棒１３の端子部３２に簡単に取り付けることができ、ひいてはブッシング１０の組立作業効率を向上させることができる。また、ボルト締めやピン止め等の作業が不要であることにより、端子カバー支持部材１４の導電棒１３への取付作業工数を低減させることができる。【選択図】        図１
2004356074.tif 000002
【特許請求の範囲】
【請求項１】
開閉器ケースに取り付けられた本体碍子を貫通して設けた導電棒の外端側に電線接続用の端子部を設け、当該端子部を覆う端子カバーを前記導電棒に固定された端子カバー支持部材に取り付けるようにした開閉器用ブッシングにおいて、
前記端子カバー支持部材には前記端子部を挿通可能とした挿通孔を設け、当該挿通孔を前記端子部に外方から挿通して当該端子部に前記端子カバー支持部材を固定するようにした開閉器用ブッシングにおける端子カバー支持部材の固定構造。
【請求項２】
前記端子カバー支持部材を前記端子部に固定する固定手段を備えた請求項１に記載の開閉器用ブッシングにおける端子カバー支持部材の固定構造。
【請求項３】
前記固定手段は、前記端子カバー支持部材と端子部との間に設けられると共に前記端子カバー支持部材と端子部とを相互に係合可能とした係合手段を備えている請求項２に記載の開閉器用ブッシングにおける端子カバー支持部材の固定構造。
【請求項４】
前記導電棒と前記端子部とを一体形成するようにした請求項１〜請求項３のうちいずれか一項に記載の開閉器用ブッシングにおける端子カバー支持部材の固定構造。
【発明の詳細な説明】
【０００１】
【発明の属する技術分野】
本発明は、例えば開閉器ケースに取り付けられるブッシングにおいて、電線接続用の端子部を覆う端子カバーを固定するための端子カバー支持部材の固定構造に関するものである。
【０００２】
【従来の技術】
従来、端子カバー支持部材の固定構造として、次のような構成が知られている。即ち、ブッシングの導電棒に外方から挿通された端子カバー支持部材をブッシング内方にスライドさせて一旦退避させておく。そして、導電棒の外端部に端子部材をかしめ固定した後に前記端子カバー支持部材をかしめ部近傍に戻してピン固定する（例えば、特許文献１参照。）。また、端子カバー支持部材（遮断部）に切り込み（割部）を形成し、導電棒の外端部に端子部材をかしめ固定した後に当該かしめ部近傍に端子カバー支持部材を取付け、ねじ固定するようにした端子カバー支持部材の固定構造もある（例えば、特許文献２参照。）。
【０００３】
【特許文献１】
登録実用新案第２５０２０６５号公報
【特許文献２】
特開２００２−２４５８８３号公報
【０００４】
【発明が解決しようとする課題】
ところが、前記従来の端子カバー支持部材の固定構造には次のような問題があった。即ち、特許文献１に記載された端子カバー支持部材の固定構造においては、組立時、導電棒に挿入した端子カバー支持部材をブッシングの内方へスライドさせて一旦退避させておく必要があった。そして、導電棒の外端部に端子部を固定した後、ブッシング内に退避させておいた端子カバー支持部材を外方にスライドさせて所定の取付け位置に固定する必要があった。このため、端子カバー支持部材の取付け作業工数が増加し、ひいては取付け作業効率が低下するという問題があった。
【０００５】
一方、特許文献２に記載された端子カバー支持部材の固定構造においては、前記端子カバー支持部材の切り込みを左右に開き、この開いた状態を保持しながら当該端子カバー支持部材の導電棒取付孔を導電棒に上方又は下方から装着する必要があった。このため、端子カバー支持部材の取付け作業が面倒であった。
【０００６】
本発明は上記問題点を解決するためになされたものであって、その目的は、端子カバー支持部材の取付け作業効率を向上させることができる端子カバー支持部材の固定構造を提供することにある。
【０００７】
【課題を解決するための手段】
請求項１に記載の発明は、開閉器ケースに取り付けられた本体碍子を貫通して設けた導電棒の外端側に電線接続用の端子部を設け、当該端子部を覆う端子カバーを前記導電棒に固定された端子カバー支持部材に取り付けるようにした開閉器用ブッシングにおいて、前記端子カバー支持部材には前記端子部を挿通可能とした挿通孔を設け、当該挿通孔を前記端子部に外方から挿通して当該端子部に前記端子カバー支持部材を固定するようにしたことを要旨とする。
【０００８】
請求項２に記載の発明は、請求項１に記載の発明において、前記端子カバー支持部材を前記端子部に固定する固定手段を備えたことを要旨とする。
請求項３に記載の発明は、請求項２に記載の発明において、前記固定手段は、前記端子カバー支持部材と端子部との間に設けられると共に前記端子カバー支持部材と端子部とを相互に係合可能とした係合手段を備えていることを要旨とする。
【０００９】
請求項４に記載の発明は、請求項１〜請求項３のうちいずれか一項に記載の発明において、前記導電棒と前記端子部とを一体形成するようにしたことを要旨とする。
【００１０】
（作用）
請求項１に記載の発明によれば、前記端子カバー支持部材の挿通孔は前記端子部に外方から挿通される。そして、前記端子カバー支持部材は前記端子部に固定される。端子カバー支持部材を端子部に外方から挿通することができるので、端子カバー支持部材の端子部への取付け作業が簡単になる。ひいては、端子カバー支持部材の取り付け作業効率が向上する。
【００１１】
請求項２に記載の発明によれば、請求項１に記載の発明の作用に加えて、前記端子カバー支持部材は固定手段により端子部に固定される。
請求項３に記載の発明によれば、請求項２に記載の発明の作用に加えて、係合手段を介して端子カバー支持部材と端子部とを相互に係合させることにより当該端子カバー支持部材は前記端子部に固定される。即ち、端子カバー支持部材は端子部に挿通するだけで当該端子部に固定される。ボルト締めやピン止め等の作業は不要となる。
【００１２】
請求項４に記載の発明によれば、請求項１〜請求項３のうちいずれか一項に記載の発明の作用に加えて、端子部と導電棒とは一体形成される。このため、端子部と導電棒とが別部材の場合と異なり、端子部と導電棒とを固定する作業が不要となる。また、部品点数が低減する。
【００１３】
【発明の実施の形態】
（第１実施形態）
以下、本発明を例えば開閉器用のブッシングに具体化した第１実施形態を図面に基づいて説明する。
【００１４】
図１に示すように、ブッシング１０は開閉器ケース１１の壁１１ａに貫通支持されている。ブッシング１０は壁１１ａに固定された本体碍子１２と、この本体碍子１２に挿通支持された導電棒１３と、この導電棒１３の外端部側に固定された端子カバー支持部材１４と、端子カバー支持部材１４に取り付けられて前記導電棒１３の外端側を覆う端子カバー１５とを備えている。
【００１５】
［本体碍子］
前記本体碍子１２は壁１１ａに形成された取付孔１１ｂに外方から挿入されて開閉器ケース１１に固定されている。本体碍子１２の外端面の中央には凹部１２ａが形成されており、当該凹部１２ａの内底面中央には後述する導電棒１３を挿通可能とした導電棒挿通孔１２ｂが本体碍子１２を貫通するように形成されている。凹部１２ａと導電棒挿通孔１２ｂの端部との間には、一対の溝１２ｃ，１２ｃ（図１１参照）が形成されている。この導電棒挿通孔１２ｂには導電棒１３が凹部１２ａの外方から挿通されている。
【００１６】
［  導電棒］
前記導電棒１３は導電性を有する金属材料をプレス加工することにより一体的に形成されており、前記導電棒挿通孔１２ｂに挿通される導電部３１及び当該導電部３１の一端部に設けられた端子部３２を備えている。この導電部３１には鍔部３１ｃ、段部３１ｄ及び一対の廻止め部３１ｅ，３１ｅがそれぞれ形成されている。鍔部３１ｃは鍔部３１ｃよりも小径かつ導電部３１よりも大径とされている。両廻止め部３１ｅ，３１ｅはそれぞれ段部３１ｄの外周面における互いに反対の位置に配置されている。
【００１７】
導電部３１は前記導電棒挿通孔１２ｂに凹部１２ａの外方（図１の左側）から挿通されており、当該導電部３１の鍔部３１ｃが本体碍子１２における凹部１２ａの内底面に当接することにより、当該導電部３１の内方（図１における右方向）への移動は規制される。このとき、本体碍子１２の両溝１２ｃ，１２ｃ内には導電棒１３の両廻止め部３１ｅ，３１ｅがそれぞれ挿入されている。両廻止め部３１ｅ，３１ｅが両溝１２ｃ，１２ｃに係合することにより、導電棒１３の中心軸周方向への回転が規制されている。
【００１８】
導電部３１の内端部（端子部３２とは反対側の端部）は本体碍子１２の内端面から突出しており、この導電部３１の本体碍子１２の内端面から突出した部位は可動電極又は固定電極（図示略）が設けられる内端接続部３１ａとされている。この内端接続部３１ａにその内端側からナット（図示略）を締付けることにより、導電棒１３は本体碍子１２に対して相対的に内方（図１における右方向）へ移動しようとする。このため、導電棒１３の鍔部３１ｃは本体碍子１２における凹部１２ａの内底面に押しつけられ、当該導電棒１３の本体碍子１２に対する中心軸方向への移動が規制される。このようにして、導電棒１３は本体碍子１２に対して回動不能且つ中心軸方向へ移動不能となるように固定されている。
【００１９】
導電部３１の外端部は凹部１２ａ内に露出しており、当該導電部３１の外端部に設けられた端子部３２は凹部１２ａ内に一部を入り込ませるようにして本体碍子１２の外端面から突出している。また、図１に示すように、導電部３１において、凹部１２ａ内に露出した部分には、絶縁性及び弾性を有する熱収縮チューブＳが装着されている。
【００２０】
［  端子部］
図２及び図３に示すように、端子部３２は丸棒の一端部をプレス機等によりプレスすることにより平板状（横断面矩形状；導電棒１３の中心軸に対して直交する方向における断面形状）に形成されている。端子部３２は電線（図示略）が接続される電線接続部３３及び端子カバー支持部材１４が固定される支持部材固定部３４を備えている。電線接続部３３は端子部３２の外端側（図２における左端側）に配置され、支持部材固定部３４は端子部３２の内端側（図２における右端側）に配置されている。
【００２１】
［  電線接続部］
図２及び図３に示すように、端子部３２の互いに反対側に位置する２つの平面３２ａ，３２ｂにおいて電線接続部３３に対応する部分、即ち電線接続部３３において互いに反対側に位置する２つの平面はそれぞれ電線（図示略）が通電可能に接続される電接面とされている。また、電線接続部３３には一対の貫通孔３５，３５が端子部３２（導電棒１３）の中心軸方向に所定間隔をおいて形成されている。両貫通孔３５，３５は端子部３２に電線（図示略）を接続する際に当該電線側に設けられた接続端子（図示略）をボルト及びナットで固定するためのものである。
【００２２】
［  支持部材固定部］
前記支持部材固定部３４には、後述する端子カバー支持部材１４を固定するための係合構造４１が設けられている。即ち、端子部３２の両平面３２ａ，３２ｂにおいて支持部材固定部３４に対応する部分にはそれぞれ第１係合部４２及び第２係合部４３が端子部３２（導電棒１３）の中心軸方向に所定の間隔をおいて設けられている。第１及び第２係合部４２，４３はそれぞれプレス機（  図示略）  により端子部３２の形成と共に１工程で一括して形成されている。
【００２３】
［  第１係合部］
図２に示すように、第１係合部４２は、端子部３２の両平面３２ａ，３２ｂのうち一方の平面３２ａに形成された一対の第１係合凹部５１，５１と両第１係合凹部５１，５１間に形成された第１係合突部５２を備えている。両第１係合凹部５１，５１及び第１係合突部５２はそれぞれ平面３２ａ上において導電棒１３の中心軸に対して直交する方向に凹凸が連続するように並んでいる。また、図４及び図５に示すように、第１係合部４２は端子部３２の両平面３２ａ，３２ｂのうち他方の平面３２ｂに形成された一対の第１係合突部５３，５３と両第１係合突部５３，５３間に形成された第１係合凹部５４とを備えている。両第１係合突部５３，５３及び第１係合凹部５４はそれぞれ平面３２ｂ上において導電棒１３の中心軸に対して直交する方向に凹凸が連続するように（即ち、凹凸が互い違いになるよう千鳥状に）配置されている。各第１係合突部５２，５３，５３にはそれぞれ導電部３１（図３〜図５における右側）へ向うほど勾配（傾斜）が大きくなる勾配面５２ａ，５３ａ，５３ａが形成されている。
【００２４】
両第１係合凹部５１，５１、第１係合突部５２、両第１係合突部５３，５３及び第１係合凹部５４はそれぞれ次のようにして形成されている。即ち、図４に示すように、両第１係合凹部５１，５１はそれぞれ一方の平面３２ａ側からプレス機によりプレスされることにより形成されている。両第１係合凹部５１，５１が形成されると同時に他方の平面３２ｂにおける両第１係合凹部５１，５１に対応する部分にはそれぞれ第１係合突部５３が形成される。また、図５に示すように、第１係合凹部５４は他方の平面３２ｂ側からプレス機によりプレスされることにより形成されている。第１係合凹部５４が形成されると同時に一方の平面３２ａにおける両第１係合凹部５４に対応する部分には第１係合突部５２が形成される。
【００２５】
［  第２係合部］
図２に示すように、第２係合部４３は、端子部３２の両平面３２ａ，３２ｂのうち一方の平面３２ａに形成された一対の第２係合突部６１，６１と両第２係合突部６１，６１間に形成された第２係合凹部６２を備えている。両第２係合突部６１，６１及び第２係合凹部６２はそれぞれ平面３２ａ上において導電棒１３の中心軸に対して直交する方向に凹凸が連続するように並んでいる。また、図４及び図５に示すように、第２係合部４３は端子部３２の両平面３２ａ，３２ｂのうち他方の平面３２ｂに形成された一対の第２係合凹部６３，６３と両第２係合凹部６３，６３間に形成された第２係合突部６４とを備えている。両第２係合凹部６３，６３及び第２係合突部６４はそれぞれ平面３２ｂ上において導電棒１３の中心軸に対して直交する方向に凹凸が連続するように（即ち、凹凸が互い違いになるよう千鳥状に）配置されている。
【００２６】
両第２係合突部６１，６１、第２係合凹部６２、両第２係合凹部６３，６３及び第２係合突部６４はそれぞれ次のようにして形成されている。即ち、図５に示すように、第２係合凹部６２は一方の平面３２ａ側からプレス機等によりプレスされることにより形成されている。第２係合凹部６２が形成されると同時に他方の平面３２ｂにおける両第２係合凹部６２に対応する部分には第２係合突部６４が形成される。また、図４に示すように、両第２係合凹部６３，６３はそれぞれ他方の平面３２ｂ側からプレス機等によりプレスされることにより形成されている。両第２係合凹部６３，６３が形成されると同時に一方の平面３２ａにおける両第２係合凹部６３，６３に対応する部分にはそれぞれ第２係合突部６１が形成される。
【００２７】
また、両第１係合突部５３，５３及び第２係合凹部６３，６３は、それぞれ平面３２ｂ上において導電棒１３の中心軸方向に凹凸が連続するように（即ち、凹凸が互い違いになるよう千鳥状に）配置されている。第１係合突部５２及び両第２係合突部６１，６１は、それぞれ平面３２ａ上において導電棒１３の中心軸方向に凹凸が連続するように（即ち、凹凸が互い違いになるよう千鳥状に）配置されている。換言すれば、両平面３２ａ，３２ｂの幅方向（図２の上下方向）だけではなく、導電棒１３の中心軸方向においても凹凸が千鳥状となるように第１係合突部５２、両第１係合突部５３，５３、両第２係合突部６１，６１及び第２係合凹部６３，６３はそれぞれ配置されている。
【００２８】
［  端子カバー支持部材］
図６、図８及び図９に示すように、端子カバー支持部材１４は絶縁性を有する合成樹脂材料により一体形成されており、ボス部７１及び当該ボス部７１の外周面に形成されたフランジ部７２を備えている。図７に示すように、ボス部７１の外周面において、当該ボス部７１の外端面（図７における左側側面）とフランジ部７２との間には端子カバー係止溝７１ａが形成されている。また、ボス部７１の外端面（図１における左端面）には小判形の外側凹部７３（図６参照）が形成されている。ボス部７１の内端面（図１における右端面）には内側凹部７４が形成されている。
【００２９】
外側凹部７３の中央部には外側突部７５が形成されている。内側凹部７４の内底面中央部には内側突部７６が形成されている。内側突部７６は端子部３２の内端部を覆う熱収縮チューブＳと互いに重なり合い（図１参照）、内側突部７６の内周面は熱収縮チューブＳの外周面に密接している。これにより、熱収縮チューブＳ内の水密性が確保されている。
【００３０】
外側突部７５の端面と内側突部７６の端面との間には端子部３２を挿通可能とした挿通孔７７が貫通して形成されている。挿通孔７７の形状は端子部３２の横断面形状と同一の横断面矩形状（端子カバー支持部材１４の中心軸に対して直交する方向における断面形状）とされており、当該挿通孔７７の内周面に前記端子部３２の外周面が密接可能となっている。挿通孔７７を端子部３２に挿通することにより、導電棒１３の中心軸周方向への回転が規制される。また、外側凹部７３の内周面と外側突部７５の外周面との間には、複数（本実施形態では４つ）の補強リブ７８が、ボス部７１（端子カバー支持部材１４）の周方向において所定間隔毎に形成されている。
【００３１】
図６に示すように、挿通孔７７の内端側において、互いに対向する一対の内面のうち一方の内面には、一対の溝部８１，８１が挿通孔７７の中心軸に対して直交する方向に所定間隔をおいて形成されており、両溝部８１，８１間には突部８２が形成されている。この端子カバー支持部材１４の溝部８１はそれぞれ支持部材固定部３４（導電棒１３）の第２係合突部６１を係合可能とされており、同じく突部８２は支持部材固定部３４（導電棒１３）の第２係合凹部６２に係合可能とされている。
【００３２】
また、図６、図８及び図９に示すように、挿通孔７７の内端側において、互いに対向する一対の内面のうち他方の内面には、一対の突部８３，８３が挿通孔７７の中心軸に対して直交する方向に所定間隔をおいて形成されており、両突部８３，８３間には溝部８４が形成されている。この端子カバー支持部材１４の両突部８３，８３はそれぞれ支持部材固定部３４（導電棒１３）の第２係合凹部６３に係合可能とされており、同じく溝部８４は支持部材固定部３４（導電棒１３）の第２係合突部６４に係合可能とされている。
【００３３】
［  端子カバー支持部材の取付状態］
図４に示すように、端子カバー支持部材１４を支持部材固定部３４に装着した状態において、端子カバー支持部材１４の両突部８３，８３は支持部材固定部３４の両第２係合凹部６３，６３に係合している。端子カバー支持部材１４の両溝部８１，８１の奥壁には支持部材固定部３４の両第２係合突部６１，６１が係合している。また、外側突部７５の外端面（図４における左端面）は各第１係合突部５２，５３，５３にそれぞれ係合している。
【００３４】
図５に示すように、端子カバー支持部材１４の溝部８４の奥壁には第２係合突部６４が係合している。端子カバー支持部材１４の突部８２は支持部材固定部３４の第２係合凹部６２に係合している。また、外側突部７５の外端面（図５における左端面）は各第１係合突部５２，５３，５３にそれぞれ係合している。
【００３５】
従って、端子カバー支持部材１４の導電部３１側への移動は、端子カバー支持部材１４の各突部８２，８３，８３及び各溝部８１，８１，８４の奥壁が、それぞれ支持部材固定部３４の各第２係合凹部６２，６３，６３及び各第２係合突部６１，６４，６４に係合することにより規制される。また、端子カバー支持部材１４の外方（導電部３１と反対側）への移動は、端子カバー支持部材１４の外側突部７５の外端面が支持部材固定部３４の各第１係合突部５２，５３，５３に係合することにより規制される。
【００３６】
図１に示すように、本体碍子１２における凹部１２ａの内底部には絶縁性を有する充填剤Ｊが所定の厚み（本体碍子１２の中心軸方向における距離）となるように充填されている。この充填剤Ｊにより熱収縮チューブＳの先端開口部（厳密には、熱収縮チューブＳと導電部３１との先端側の隙間）が閉塞されている。
【００３７】
［  端子カバー支持部材の組付け手順］
次に、前述のように構成した端子カバー支持部材１４を導電棒１３の端子部３２に組付ける際の手順を説明する。
【００３８】
端子カバー支持部材１４の挿通孔７７を内側突部７６側から導電棒１３の端子部３２に挿通する。すると、端子カバー支持部材１４の各突部８２，８３，８３は支持部材固定部３４の各第１係合突部５２，５３，５３の勾配面５２ａ，５３ａ，５３ａに接触する。端子カバー支持部材１４を導電部３１側にさらに押し込むと、端子カバー支持部材１４の各突部８２，８３，８３は各勾配面５２ａ，５３ａ，５３ａに案内されながら支持部材固定部３４の各第１係合突部５２，５３，５３を乗り越える。そして、端子カバー支持部材１４の各突部８２，８３，８３は端子部３２の両平面３２ａ，３２ｂにおける第１係合部４２と第２係合部４３との間を摺動しながら導電部３１側に移動する。
【００３９】
そして、端子カバー支持部材１４の両溝部８１，８１の奥壁が両第２係合突部６１，６１に当接する位置まで当該端子カバー支持部材１４を押し込むと、当該端子カバー支持部材１４の突部８２は支持部材固定部３４の第２係合凹部６２に係合する。また、端子カバー支持部材１４の両突部８３，８３は支持部材固定部３４の両第２係合凹部６３，６３に係合する。これにより、端子カバー支持部材１４の導電棒１３への組付け作業は完了となる。このように、端子カバー支持部材１４はワンタッチで導電棒１３の端子部３２に固定される。
【００４０】
この後、端子カバー１５を端子部３２に外方から挿通し、当該端子カバー１５を端子カバー支持部材１４に対して固定する。即ち、端子カバー１５の端子カバー支持部材１４固定側の開口部内周縁には、円環状の係合突条１５ａが形成されており、この係合突条１５ａを端子カバー支持部材１４の端子カバー係止溝７１ａに係合させる。これにより、端子カバー１５はその内端側において端子カバー支持部材１４と互いに重なり合い且つ密接して支持固定される。このため、通常雨水等が端子カバー１５の内部へ侵入することはない。万一侵入した場合でも、この雨水等は端子カバー１５の下部に設けた水抜孔１５ｂから排出される。
【００４１】
尚、本実施形態において、導電部３１は導電棒を構成する。係合構造４１（第１係合部４２及び第２係合部４３）、各溝部８１，８４及び各突部８２，８３は固定手段、係合手段及び凹凸構造を構成する。
【００４２】
［  実施形態の効果］
従って、本実施形態によれば、以下の効果を得ることができる。
（１）端子カバー支持部材１４には端子部３２を挿通可能とした挿通孔７７を設けるようにした。そして、この挿通孔７７を導電棒１３に端子部３２の外方から挿通し、この状態で端子カバー支持部材１４を導電棒１３に固定するようにした。端子カバー支持部材１４を導電棒１３に端子部３２の外方から挿通できるので、端子カバー支持部材１４の導電棒１３への取付け作業が簡単になる。ひいては、端子カバー支持部材１４の取り付け作業効率を向上させることができる。
【００４３】
これは、次のような煩雑な作業が不要となるからである。即ち、端子カバー支持部材１４を導電棒１３に端子部３２の外方から挿通可能であることにより、導電部３１に端子カバー支持部材１４を挿通すると共にブッシング内部に一旦退避させておく必要がない。そして、端子部３２を導電部３１に固定した後に端子カバー支持部材１４を外方へスライドさせて所定の取付け位置に固定する必要もない。また、端子カバー支持部材１４に取付用の割部を設けるようにした場合と異なり、この割部を左右に開いた状態で当該端子カバー支持部材１４を導電棒１３に上方又は下方から装着する必要もない。
【００４４】
（２）導電棒１３の電線接続側に設けられた端子部３２に端子カバー支持部材１４を固定するための係合構造４１を設け、この係合構造４１に端子カバー支持部材１４を係合させるようにした。このため、端子カバー支持部材１４を端子部３２に挿通し、端子カバー支持部材１４を導電部３１側に押し込むことにより端子カバー支持部材１４は端子部３２に係合される。即ち、端子カバー支持部材１４をワンタッチで導電棒１３の端子部３２に固定することができる。従って、端子カバー支持部材１４を導電棒１３の端子部３２に簡単に取り付けることができ、ひいてはブッシング１０の組立作業効率を向上させることができる。また、ボルト締めやピン止め等の作業が不要であることにより、端子カバー支持部材１４の導電棒１３への取付作業工数を低減させることができる。
【００４５】
（３）端子カバー支持部材１４と端子部３２との間には、当該端子カバー支持部材１４と端子部３２とを相互に係合可能とした係合手段（固定手段）を設けるようにした。そして、この端子カバー支持部材１４と端子部３２との係合手段は、端子部３２と端子カバー支持部材１４との凹凸間係とした。即ち、端子カバー支持部材１４の外側突部７５の外端面は支持部材固定部３４の各第１係合突部５２，５３，５３に係合させるようにした。また、各溝部８１，８１，８４の奥壁にはそれぞれ支持部材固定部３４の各第２係合突部６１，６１，６４を係合させるようにした。そして、端子カバー支持部材１４の各突部８２，８３，８３はそれぞれ支持部材固定部３４の各第２係合凹部６２，６３，６３に係合させるようにした。支持部材固定部３４における各第１係合突部５２，５３，５３及び各第２係合凹部６２，６３，６３は例えばプレス機により容易に形成することができる。また、凹凸を設けるだけなので係合構造４１の構成を簡単にすることができる。ひいては、導電棒１３全体の構成を簡単にすることができる。一方、端子カバー支持部材１４は例えば射出成形により形成されるので、当該端子カバー支持部材１４の各突部８２，８３，８３及び各溝部８１，８１，８４はそれぞれ容易に形成することができる。
【００４６】
（４）平面３２ａにおいて、第１係合突部５２と両第２係合突部６１，６１とが導電棒１３の中心軸に対して直交する方向において互い違いになるように配置した。また、平面３２ｂにおいて、両第１係合突部５３，５３と第２係合突部６４とが導電棒１３の中心軸に対して直交する方向において互い違いになるように配置した。換言すれば、支持部材固定部３４において、平面３２ａ側の両第１係合凹部５１，５１及び第２係合凹部６２を千鳥状に配置すると共に、平面３２ｂ側の第１係合凹部５４及び両第２係合凹部６３，６３を千鳥状に配置するようにした。このため、端子カバー支持部材１４のがたつきが抑制され、端子カバー支持部材１４を確実に導電棒１３に固定することができる。
【００４７】
（５）導電部３１と端子部３２とを一体的に形成するようにした。このため、例えば導電部３１と端子部３２とをそれぞれ別部材にした場合に比べて、部品点数を低減させることができる。また、導電部３１と端子部３２とを別部材にして当該端子部３２を導電部３１にかしめ固定するようにした場合と異なり、導電棒１３にかしめのためのスペースを設ける必要がない。このため、導電棒１３の長さを短縮することができる。具体的には、本体碍子１２の外端面からの突出長さを短くすることができる。かしめ作業の効率の観点から、かしめのためのスペースは本体碍子１２の外部に設けざるを得ないからである。
【００４８】
（６）導電棒１３の外端部に端子部３２をプレス成形するようにした。そして、端子部３２の成形とともに端子部３２の平面３２ａ，３２ｂに凹凸構造（係合構造４１）を形成し、この凹凸構造に端子カバー支持部材１４を係合させるようにした。このため、端子カバー支持部材１４を導電棒１３に挿通した後、本体碍子１２内に一旦退避させておく必要がない。また、ネジ止めやピン固定する必要もないので、端子部３２の外端部から端子カバー支持部材１４を挿入するだけで当該端子カバー支持部材１４を導電棒１３（端子部３２）に固定することができる。従って、端子カバー支持部材１４の導電棒１３への固定作業を簡単にすることができる。
【００４９】
（７）端子部３２の両平面３２ａ，３２ｂの一部を本体碍子１２の凹部１２ａ内に入り込ませるようにした。このため、導電棒１３の本体碍子１２の外端面からの突出長さを短くすることができる。即ち、導電棒１３の長さを短くすることができ、ひいては開閉器の同相間方向の長さを短くすることができる。
【００５０】
ちなみに、端子部３２をもっと本体碍子１２の凹部１２ａ内に入り込ませれば、導電棒１３をいっそう短くすることができる。しかし、係合構造４１が本体碍子１２の外端面に近づけば当該端子カバー支持部材１４も本体碍子１２に近づき、端子カバー支持部材１４が本体碍子１２の外端面に近づきすぎると放電が発生しやすくなる。
【００５１】
（８）端子カバー支持部材１４と端子部３２との凹凸間係により、端子カバー支持部材１４の端子部３２に対する取付方向（上下左右）が一義的に決まる。このため、端子カバー支持部材１４の端子部３２に対する取付方向を厳密に管理する必要がある場合には有効である。
【００５２】
（９）端子部３２を平板状（扁平状）に形成すると共に、この端子部３２が挿入される端子カバー支持部材１４の挿通孔７７を端子部３２の断面形状（即ち、横断面矩形状）と同一形状に形成するようにした。このため、端子カバー支持部材１４の挿通孔７７を端子部３２に挿入することにより、導電棒１３の中心軸周方向への回転が規制され、端子カバー支持部材１４の回り止めが図られる。
【００５３】
（１０）端子部３２の第１係合突部５２及び両第１係合突部５３，５３にはそれぞれ導電部３１側（図３における右側）へ向う程、勾配（傾斜）が大きくなる勾配面５２ａ，５３ａ，５３ａを形成するようにした。このため、端子カバー支持部材１４を端子部３２へ装着する際、当該端子カバー支持部材１４は各勾配面５２ａ，５３ａ，５３ａによりそれぞれ案内される。従って、端子カバー支持部材１４は端子部３２の各第１係合突部５２，５３，５３をそれぞれ円滑に乗り越えられる。従って、端子部３２における各第１係合突部５２，５３，５３と各第２係合突部６１，６１，６４との間に端子カバー支持部材１４をはめ込みやすくなる。
【００５４】
（１１）端子部３２の外周面と端子カバー支持部材１４における挿通孔７７の内周面とが互いに密接するように、端子部３２及び挿通孔７７を形成するようにした。このため、万一雨水等が端子カバー１５内に浸入しても、当該雨水等が端子部３２の外周面と挿通孔７７の内周面との間から内部へ侵入することが抑制される。従って、熱収縮チューブＳと導電部３１との間の水密性を確保することができる。
【００５５】
（１２）熱収縮チューブＳにより、本体碍子１２の凹部１２ａ内に露出した導電棒１３（導電部３１及び端子部３２の導電部３１側）を覆うようにした。そして、凹部１２ａの内底部に充填した絶縁性を有する充填剤１０３により、熱収縮チューブＳの先端開口部を閉塞するようにした。また、端子カバー支持部材１４の内側突部７６は熱収縮チューブＳと互いに重なり合うと共に、内側突部７６の内周面を熱収縮チューブＳに密接させるようにした。このため、本体碍子１２の外部（即ち、端子カバー支持部材１４と本体碍子１２の外端面との隙間）から凹部１２ａ内に例えば雨水が入り込んでも、この雨水が熱収縮チューブＳ内における導電棒１３（導電部３１及び端子部３２）に接触することはない。また、凹部１２ａ内に入り込んだ雨水が導電棒挿通孔１２ｂを通って開閉器ケース１１内に流れ込むこともない。さらには、例えば工事の際に使用するバインド線や鳥が営巣のために運んで来る針金等が、端子カバー支持部材１４と本体碍子１２との隙間から入り込んだ場合であっても、これらバインド線や針金等が充電部となる導電棒１３（導電部３１）に直接接触することはない。従って、前記バインド線や針金等の侵入に起因する地絡事故、及び開閉器における隣接相のブッシングとの間で発生する相間短絡事故をそれぞれ抑制することができる。
【００５６】
（第２実施形態）
次に、本発明の第２実施形態を図１０〜図１４に基づいて説明する。本実施形態は導電棒における端子部の構成、端子カバー支持部材の構成及び端子カバー支持部材の固定構造の点で前記第１実施形態と主に異なる。従って、前記第１実施形態と同一の部材構成には同一の符号を付し、その重複した説明を省略する。
【００５７】
［  導電棒］
図１０及び図１１に示すように、導電棒１３の端子部３２（厳密には、支持部材固定部３４）において、前記第１実施形態における係合構造４１（図２参照）は省略されており、両平面３２ａ，３２ｂはそれぞれ平面とされている。支持部材固定部３４には、ボルト挿通孔９１が形成されている。また、導電棒１３において、端子部３２と導電部３１との間には、導電棒側の位置決め部９２が形成されている。この位置決め部９２は端子部３２の両平面３２ａ，３２ｂと導電部３１の外周面との間を連続するように、且つ導電部３１側に向うにつれて拡開するように形成された一対の被当接面９２ａ，９２ｂを備えている。両被当接面９２ａ，９２ｂは、丸棒の一端部をプレス機等によりプレスすることにより平板状（横断面矩形状）に端子部３２を形成する際に同時に形成される。
【００５８】
［  端子カバー支持部材］
図１３及び図１４に示すように、端子カバー支持部材１４において、内側凹部７４の内底面中央には楕円筒状のスカート部９３が突設されている。図１０及び図１１に示すように、スカート部９３は導電棒１３に対する所定の取付け位置に装着された状態において、当該スカート部９３の先端開口部と凹部１２ａの内底面との間に所定の空隙が形成される程度に端子カバー支持部材１４の内端面（図１０及び図１１における右側側面）から突出している。
【００５９】
スカート部９３の外径は本体碍子１２の凹部１２ａ内に挿入可能となる程度に設定されている。スカート部９３の内径は端子部３２が挿通可能となる程度に設定されている。また、図１４に示すように、スカート部９３の内周面には当該スカート部９３の先端に向うにつれて拡径する円錐台状のテーパ面９３ａが形成されている。
【００６０】
図１１に示すように、スカート部９３内の基端部側（図１１における左端部側）には、互いに対向する一対の厚肉部９４ａ，９４ｂがそれぞれ形成されている。両厚肉部９４ａ，９４ｂ（厳密には、両厚肉部９４ａ，９４ｂの対向面）はそれぞれ端子部３２の厚み分程度だけ離間している。この両厚肉部９４ａ，９４ｂ間に形成された空隙は端子部３２の挿通孔９５とされており、この挿通孔９５はボス部７１を貫通して外部に連通している。挿通孔９５の形状は端子部３２の横断面形状と同一の横断面矩形状であり、当該挿通孔９５の内周面には端子部３２の外周面が密接するようになっている。
【００６１】
図１１及び図１３に示すように、両厚肉部９４ａ，９４ｂのボス部７１とは反対側の側面（図１１における右側側面）には、位置決め部９２（両被当接面９２ａ，９２ｂ）と同一の断面円弧面状となるように当接面９６ａ，９６ｂが形成されている。この両当接面９６ａ，９６ｂは端子カバー支持部材１４側の位置決め部９６を構成する。
【００６２】
端子カバー支持部材１４を外方（即ち、端子部３２の外端側）から挿入したとき、厚肉部９４ａ，９４ｂの当接面９６ａ，９６ｂ（支持部材側位置決め部９６）がそれぞれ導電棒１３の両被当接面９２ａ，９２ｂ（位置決め部９２）に当接する。これにより、端子カバー支持部材１４の導電部３１側への移動が規制され、端子カバー支持部材１４の導電棒１３（端子部３２）に対する位置決めがなされる。
【００６３】
［  ねじ止め固定部］
図１１及び図１４に示すように、端子カバー支持部材１４の外端面（図１１及び図１４における左側側面）には、ねじ止め固定部９７が設けられている。即ち、図１２に示すように、端子カバー支持部材１４の外側凹部７３において、外側突部７５の外周面には互いに対向する一対の隔壁９８ａ，９８ｂがスカート部９３の長軸に対して直交するように形成されている。両隔壁９８ａ，９８ｂ間の空間はボルト逃げ凹部９９とされている。端子カバー支持部材１４が導電棒１３に対して前記所定の取付け位置に位置決めされた状態において、ボルト逃げ凹部９９と端子部３２のボルト挿通孔９１とが合致するように両隔壁９８ａ，９８ｂはそれぞれ配置されている。
【００６４】
また、外側突部７５の外周面において、両隔壁９８ａ，９８ｂとは反対側の位置には、互いに対向する一対の隔壁１００ａ，１００ｂがスカート部９３の長軸に対して直交するように形成されている。両隔壁１００ａ，１００ｂ間に形成された空間は頭部逃げ凹部１０１とされている。ボルト逃げ凹部９９及び頭部逃げ凹部１０１はそれぞれ挿通孔９５に連通するように外側突部７５の中央側に延びるように形成されている。
【００６５】
図１２及び図１４に示すように、外側突部７５（挿通孔９５）の内周面における外端側（図１４における左側）には、五角形状の嵌合凹部１０２が形成されている。この嵌合凹部１００には所定の呼びの六角ナットＮ（図１１参照）がはめ込み可能とされている。嵌合凹部１００には前記ボルト逃げ凹部９９が連通している。
【００６６】
［  端子カバー支持部材の取付状態］
図１０及び図１１に示すように、端子カバー支持部材１４は両厚肉部９４ａ，９４ｂの当接面９６ａ，９６ｂが導電棒１３の位置決め部９２（両被当接面９２ａ，９２ｂ）に当接する所定の取付け位置まで端子部３２の外方から導電棒１３に挿入されている。本体碍子１２における凹部１２ａの内底部には絶縁性を有する充填剤１０３が所定の厚み（本体碍子１２の中心軸方向における距離）となるように充填されており、この充填剤１０３により前記所定の取付け位置まで挿入されたスカート部９３の先端開口部が閉塞されている。即ち、スカート部９３の先端開口部は充填剤１０３に埋没しており当該充填剤１０３の中間付近に配置されている。スカート部９３の先端側の内周面と導電部３１との間には充填剤１０３が介在されている。このように、スカート部９３の先端側は充填剤１０３により導電部３１と本体碍子１２との間に保持されている。
【００６７】
充填剤１０３は例えばシリコン系の材料である。組立時、即ち端子カバー支持部材１４を端子部３２の外方から導電棒１３に挿入する際、充填剤１０３はゲル状であり、組立完了後に乾燥されることにより固形化している。この充填剤１０３により本体碍子１２における導電棒挿通孔１２ｂと凹部１２ａとの絶縁及び水密が図られる。また、スカート部９３の先端側は充填剤１０３が固形化することにより導電部３１と本体碍子１２との間に密封保持される。
【００６８】
また、前記所定の取付け位置まで端子カバー支持部材１４が導電棒１３に挿入された状態において、頭部逃げ凹部１０１側から端子部３２のボルト挿通孔９１にボルトＢ（図１１参照）が挿通され、このボルトＢは嵌合凹部１０２に予めはめ込まれた六角ナットＮに締め付けられている。これにより、端子カバー支持部材１４の外方及び内方への移動がそれぞれ規制される。即ち、ボルトＢ及び六角ナットＮにより、端子カバー支持部材１４（厳密には、ボス部７１）は端子部３２の支持部材固定部３４に固定されている。
【００６９】
このように、端子カバー支持部材１４は、その両端部においてそれぞれ導電棒１３に保持されている。即ち、端子カバー支持部材１４の基端側（ボス部７１）はボルトＢ及び六角ナットＮにより固定され、同じく先端側（スカート部９３の先端側）は充填剤１０３により保持されている。このため、端子カバー支持部材１４は導電棒１３に安定して固定されている。また、本体碍子１２の凹部１２ａから入り込んだ雨水等が、本体碍子１２の導電棒挿通孔１２ｂを通って開閉器ケース１１の内部に侵入すること及びスカート部９３の先端開口部から当該スカート部９３の内部に雨水等が侵入することがそれぞれ防止される。
【００７０】
尚、本実施形態において、スカート部９３は絶縁筒部を構成する。充填剤１０３は保持手段を構成する。また、ねじ止め固定部９７、ボルトＢ及び六角ナットＮは固定手段を構成する。
【００７１】
［  実施形態の効果］
従って、本実施形態によれば、以下の効果を得ることができる。
（１）端子カバー支持部材１４には端子部３２を挿通可能とした挿通孔９５を設けるようにした。そして、この挿通孔９５を導電棒１３に端子部３２の外方から挿通し、この状態で端子カバー支持部材１４を導電棒１３に固定するようにした。端子カバー支持部材１４を導電棒１３に端子部３２の外方から挿通できるので、端子カバー支持部材１４の導電棒１３への取付け作業が簡単になる。ひいては、端子カバー支持部材１４の取り付け作業効率を向上させることができる。これは、前記第１実施形態の（１）に記載の理由と同様の理由による。
【００７２】
（２）端子カバー支持部材１４には楕円筒状のスカート部９３を設けるようにした。このスカート部９３により、本体碍子１２の凹部１２ａ内に露出した導電棒１３（厳密には、導電部３１）を覆うようにした。そして、凹部１２ａの内底部に充填した絶縁性を有する充填剤１０３により、スカート部９３の先端開口部を閉塞するようにした。このため、本体碍子１２の外部（即ち、端子カバー支持部材１４と本体碍子１２の外端面との隙間）から凹部１２ａ内に例えば雨水が入り込んでも、この雨水がスカート部９３内における導電棒１３（導電部３１及び端子部３２）に接触することはない。また、凹部１２ａ内に入り込んだ雨水が導電棒挿通孔１２ｂを通って開閉器ケース１１内に流れ込むこともない。
【００７３】
（３）スカート部９３により本体碍子１２の凹部１２ａ内に露出した導電棒１３（厳密には、導電部３１）を覆うことにより、当該導電棒１３の空気中への露出が防止される。従って、海水や塵埃等の汚損物及び雨水がスカート部９３内の導電棒１３（導電部３１）に付着することを防止できる。ひいては、前記汚損物及び雨水の導電棒１３への付着に起因する閃絡事故も防止することができる。
【００７４】
（４）端子部３２の外周面は、端子カバー支持部材１４における挿通孔９５の内周面に密接している。このため、万一前記汚損物及び雨水等が端子カバー１５内に侵入しても、端子部３２の外周面と挿通孔９５の内周面との間の内部へ前記汚損物及び雨水等が侵入することは抑制される。従って、スカート部９３内の気密性及び水密性がそれぞれ確保されることにより、凹部１２ａ内に露出した導電棒１３（導電部３１）に例えば絶縁性を有する熱収縮チューブ等を装着する必要はない。
【００７５】
（５）スカート部９３の内周面には、当該スカート部９３の先端に向うほど拡径するテーパ面９３ａを形成するようにした。このため、スカート部９３を導電棒１３に挿通しやすくなる。従って、ブッシング１０の組立作業効率をいっそう向上させることができる。
【００７６】
（６）スカート部９３を楕円筒状に形成した。そして、スカート部９３の長軸方向が鉛直方向（図１０及び図１１における上下方向）となるように端子カバー支持部材１４を配置するようにした。このため、本体碍子１２の凹部１２ａ内に浸入した前記汚損物及び雨水等がスカート部９３の上面（上部）に堆積しにくくなる。スカート部９３の短軸方向が上下方向となるように端子カバー支持部材１４を配置するようにした場合に比べて、当該スカート部９３の外周面の勾配が急となるからである。
【００７７】
（７）凹部１２ａ内に露出した導電棒１３（導電部３１）をスカート部９３により覆うと共に、このスカート部９３の先端開口部を充填剤１０３により閉塞するようにした。このため、例えば工事の際に使用するバインド線や鳥が営巣のために運んで来る針金等が、端子カバー支持部材１４と本体碍子１２との隙間から凹部１２ａ内に入り込んだ場合であっても、これらバインド線や針金等が充電部となる導電棒１３（導電部３１）に直接接触することはない。従って、前記バインド線や針金等の侵入に起因する地絡事故、及び開閉器における隣接相のブッシングとの間で発生する相間短絡事故をそれぞれ抑制することができる。
【００７８】
（８）端子カバー支持部材１４は、その両端部においてそれぞれ導電棒１３に固定するようにした。即ち、端子カバー支持部材１４の基端側（ボス部７１）はボルトＢ及び六角ナットＮにより固定し、同じく先端側（スカート部９３の先端側）は充填剤１０３により保持する。このため、端子カバー支持部材１４を導電棒１３に安定して固定することができる。
【００７９】
（９）凹部１２ａの内底部に予め充填した充填剤１０３にスカート部９３の先端部を埋没させることにより、端子カバー支持部材１４のスカート部９３を凹部１２ａ内において保持するようにした。このため、端子カバー支持部材１４を導電棒１３に挿通するだけで、スカート部９３を凹部１２ａ内に保持することができる。従って、スカート部９３を簡単に保持することが出来る。凹部１２ａの内底部に充填剤１０３を充填するだけのため、端子カバー支持部材１４の端子部３２及び導電棒１３（導電部３１）のうち少なくとも一方への取付け作業が複雑になることはない。また、構成も簡単になる。
【００８０】
（１０）充填剤１０３として、組立時にはゲル状であり、組立後に乾燥することにより固形化する材料を使用するようにした。このため、端子カバー支持部材１４を端子部３２の外方から導電棒１３に挿入する際には、スカート部９３の先端部は充填剤１０３に容易に埋没するので、端子カバー支持部材１４の組立作業を簡単に行うことができる。また、組立後には充填剤１０３を乾燥させることにより、スカート部９３を凹部１２ａ内に密封保持することができる。さらには、本体碍子１２における導電棒挿通孔１２ｂと凹部１２ａとの絶縁及び水密が図られる。
【００８１】
（１１）端子カバー支持部材１４と導電棒１３には、それぞれ互いに当接する位置決め部９２，９６を設けるようにした。これにより、組立時、端子カバー支持部材１４の導電部３１側への移動が規制することができる。また、スカート部９３の先端開口部を本体碍子１２における凹部１２ａ内の所定の位置に保持することができる。即ち、スカート部９３の先端開口部の凹部１２ａ内における位置決めがなされる。
（第３実施形態）
次に、本発明の第３実施形態を図１５に基づいて説明する。本実施形態は、端子カバー支持部材１４の構成の点で前記第２実施形態と主に異なる。従って、前記第２実施形態と同一の部材構成については同一の符号を付し、その詳細な説明を省略する。
【００８２】
図１５に示すように、導電部３１において、凹部１２ａ内に露出した部分には、絶縁性及び弾性を有する熱収縮チューブ１１０が装着されている。また、端子カバー支持部材１４が導電棒１３に対して前記所定の取付け位置に装着された状態において、スカート部９３の先端開口部が凹部１２ａの中間に位置する程度に当該スカート部９３の長さは設定されている。
【００８３】
スカート部９３の先端開口部から中間までの間における外周面には、複数（本実施形態では、３つ）の円環状の鍔部１１１ａ，１１１ｂ，１１１ｃがスカート部９３の中心軸方向において所定間隔おきに形成されている。各鍔部１１１ａ，１１１ｂ，１１１ｃは、スカート部９３の先端側から鍔部１１１ａ→鍔部１１１ｂ→鍔部１１１ｃの順に配置されており、この順に外径が大きく設定されている。各鍔部１１１ａ，１１１ｂ，１１１ｃは、雨水の浸入経路である凹部１２ａの内周面とスカート部９３の外周面との間に突出している。
【００８４】
スカート部９３の先端側の内周面には円環状の密閉部材１１２が形成されている。端子カバー支持部材１４が導電棒１３に対して前記所定の取付け位置に装着された状態において、スカート部９３は熱収縮チューブ１１０と互いに重なり合っており、密閉部材１１２の内周縁は前記熱収縮チューブ１１０に密接している。これにより、スカート部９３の先端開口部内外の水密性が確保されている。尚、本実施形態において、各鍔部１１１ａ，１１１ｂ，１１１ｃは雨水侵入防止手段を構成し、密閉部材１１２は密閉手段を構成する。
【００８５】
従って、本実施形態によれば、以下の作用効果を得ることができる。
（１）スカート部９３の外周面に複数の鍔部１１１ａ，１１１ｂ，１１１ｃを形成するようにした。即ち、雨水の浸入経路である凹部１２ａの内周面とスカート部９３の外周面との間の途中に、雨水侵入防止構造としての複数の鍔部１１１ａ，１１１ｂ，１１１ｃを設けるようにした。このため、例えば雨水がスカート部９３の外周面を伝って凹部１２ａの内底部側に流れ込もうとしても、これは各鍔部１１１ａ，１１１ｂ，１１１ｃにより阻止される。また、各鍔部１１１ａ，１１１ｂ，１１１ｃの外径をスカート部９３の先端に向うにつれて大きくするようにした。このため、雨水の浸入を段階的に抑制することができる。
【００８６】
（２）スカート部９３の先端部に水密構造を設けるようにした。即ち、スカート部９３の先端部の内周面には円環状の密閉部材１１２を形成するようにした。そして、密閉部材１１２の内周縁を凹部１２ａ内に露出した導電棒１３に装着された熱収縮チューブ１１０に密接させるようにした。このため、スカート部９３内外の水密性が確保される。
【００８７】
（３）また、スカート部９３の密閉部材１１２の内周縁を、導電棒１３に装着された熱収縮チューブ１１０に密接させるようにした。そして、熱収縮チューブ１１０とスカート部９３とが互いに重なり合うように端子カバー支持部材１４を配置するようにした。即ち、凹部１２ａ内に露出した導電部３１に熱収縮チューブ１１０を装着し、この熱収縮チューブ１１０が装着された導電部３１の一部分がスカート部９３の内部に位置するように端子カバー支持部材１４を設けるようにした。このため、例えば工事の際に使用するバインド線や鳥が営巣のために運んで来る針金等が、端子カバー支持部材１４と本体碍子１２との隙間から入り込んだ場合であっても、これらバインド線や針金等が充電部となる導電棒１３（導電部３１）に直接接触することはない。従って、前記バインド線や針金等の侵入に起因する地絡事故、及び開閉器における隣接相のブッシングとの間で発生する相間短絡事故をそれぞれ抑制することができる。
【００８８】
（別例）
尚、前記両実施形態は以下のような別例に変更して実施してもよい。
・第１実施形態では、導電棒１３に端子部３２を一体形成するようにした。換言すれば、導電部３１と端子部３２とを一体形成するようにしたが、それぞれ別部材にしてもよい。この場合、端子部３２と導電部３１との連結構造を設ける。例えば、端子部３２の導電部３１連結側に雄ねじ部を形成すると共に、導電部３１の端子部３２連結側に雌ねじ部を形成する。そして、端子部３２の雄ねじ部を導電部３１の雌ネジ部に螺合する。又は、導電部３１の端子部３２連結側に端子部３２挿入部を形成し、この挿入部に端子部３２の導電部３１連結側を挿入する。そして、導電部３１の挿入部をかしめることにより端子部３２と導電部３１とを連結する。このように、導電部３１と端子部３２とを別部材にした場合においても、端子部３２には係合構造４１を設ける。このようにしても、第１実施形態における（１）〜（４），（６）〜（１２）番目の効果と同様の効果を得る事ができる。
【００８９】
・第１実施形態では、平面３２ａ側の第１係合突部５２及び両第２係合突部６１，６１を千鳥状に配置すると共に平面３２ｂ側の両第１係合突部５３，５３及び第２係合突部６４を千鳥状に配置するようにしたが、千鳥状に配置しないようにしてもよい。例えば、第２係合部４３を第１係合部４２に置き換えて係合構造４１を一対の第１係合部４２，４２により構成するようにしてもよい。逆に、第１係合部４２を第２係合部４３に置き換えて係合構造４１を一対の第２係合部４３，４３により構成するようにしてもよい。このようにしても、端子カバー支持部材１４の取り付け作業効率を向上させることができる。
【００９０】
・また、第１実施形態において、第１係合部４２及び第２係合部４３のうち少なくとも一方において、凹凸を反対にするようにしてもよい。例えば、第１係合部４２において、両第１係合凹部５１，５１をそれぞれ突部とし、第１係合突部５２を凹部とする。この場合、両第１係合突部５３，５３及び第１係合凹部５４はそれぞれ必然的に凹部及び突部となる。
【００９１】
・第１実施形態において、第１係合突部５２，５３，５３、第２係合突部６１，６１，６４、第１係合凹部５１，５１，５４、及び第２係合凹部６２，６３，６３の数は任意に変更してもよい。
【００９２】
・第１実施形態において、各第１係合突部５２，５３，５３及び各第２係合突部６１，６１，６４の形状をそれぞれ任意に変更してもよい。端子カバー支持部材１４が端子部３２に円滑に挿入でき、かつ係合して固定されればよい。各第１係合突部５２，５３，５３及び各第２係合突部６１，６１，６４を例えば半球状に形成するようにしてもよい。このようにしても、端子カバー支持部材１４を端子部３２に円滑に装着することができる。
【００９３】
・第１実施形態では、端子部３２側の第２係合突部６１，６１，６４を端子カバー支持部材１４側の溝部８１，８１，８４に、また、端子カバー支持部材１４側の突部８２，８３，８３を端子部３２側の第２係合凹部６２，６３，６３に係合させるようにしたが、例えば次のようにしてもよい。即ち、端子カバー支持部材１４側の溝部８１，８１，８４及び突部８２，８３，８３をすべて省略する。そして、この端子カバー支持部材１４を端子部３２における各第１係合突部５２，５３，５３と各第２係合突部６１，６１，６４との間に単に係合させる。このようにしても、端子カバー支持部材１４をワンタッチで導電棒１３の端子部３２に固定することができる。
【００９４】
・第２実施形態では、ボルトＢ及び六角ナットＮにより端子カバー支持部材１４の外方及び内方への移動をそれぞれ規制するようにしたが、次のようにしてもよい。例えば外側突部７５及び端子部３２にそれぞれピンを貫通させる。このピンには止め輪（Ｃリング，Ｅリング）等の抜け止め対策を講じる。このようにしても、端子カバー支持部材１４の外方及び内方への移動をそれぞれ規制することができる。
【００９５】
・第２実施形態では、導電棒１３（厳密には、導電部３１）に装着する熱収縮チューブを廃止するようにしたが、採用するようにしてもよい。このようにすれば、導電部３１と外部の接地部材（  図示略）  との間の絶縁がいっそう確保される。
【００９６】
・第３実施形態において、スカート部９３と凹部１２ａの内周面との間に密封装置を設けるようにしてもよい。即ち、スカート部９３の外周面に円環状のＯリング収容溝（  図示略）  を形成し、このＯリング収容溝にＯリング（  図示略）  を装着する。そして、スカート部９３を凹部１２ａ内に挿入した際、スカート部９３に装着されたＯリングとブッシング内周面とを密接させる。逆に、ブッシング内周面に円環状のＯリング収容溝（  図示略）  を形成し、このＯリング収容溝にＯリング（  図示略）  を装着する。そして、スカート部９３を凹部１２ａ内に挿入した際、スカート部９３に装着されたＯリングとブッシング内周面とを密接させる。このようにすれば、充填剤１０３を省略することができる。Ｏリングとブッシング内周面とが密接することにより、Ｏリングを境として凹部１２ａ内外の水密性が確保できるからである。
【００９７】
・第２及び第３実施形態において、図１０及び図１５に二点鎖線で示すように、端子カバー支持部材１４（厳密には、外側突部７５）の外端面における挿通孔９５と端子部３２との境界部分、即ち外側突部７５の外端面における挿通孔９５の周縁又は内周面に接着剤１２０を塗布するようにしてもよい。このようにすれば、挿通孔９５の内周面と端子部３２との間に隙間があっても、この隙間が接着剤１２０により閉塞される。従って、挿通孔９５の内周面と端子部３２との隙間部分からの雨水等の侵入を抑制することができる。さらには、ボルトＢ及び六角ナットＮが不要になり部品点数も低減する。
【００９８】
・第３実施形態では、スカート部９３に複数の鍔部１１１ａ，１１１ｂ，１１１ｃを設けるようにしたが、鍔部の数は任意に変更するようにしてもよい。例えば鍔部１１１ａ，１１１ｂ，１１１ｃのうちのいずれか１つを省略して２つの鍔部１１１ａ，１１１ｂ、鍔部１１１ａ，１１１ｃ、又は鍔部１１１ａ，１１１ｃを設けるようにしてもよい。また、鍔部を４つ、５つ又はそれ以上設けるようにしてもよい。逆に、鍔部の数を単数としてもよい。例えば、３つの鍔部１１１ａ，１１１ｂ，１１１ｃのうちいずれか１つのみとする。このようにしても、外部からの雨水侵入を抑制することができる。
【００９９】
・第３実施形態において、スカート部９３の先端に向うほど鍔部の外径を大きくするようにしたが、各鍔部１１１ａ，１１１ｂ，１１１ｃの外径を全て同じとしてもよい。このようにしても、外部からの雨水侵入を抑制することができる。
【０１００】
・第３実施形態において、位置決め部９２の先端内周面には単数の密閉部材１１２を設けるようにしたが、複数設けるようにしてもよい。このようにすれば、スカート部９３の内外における密閉性をいっそう確保することができる。
【０１０１】
・第２実施形態と第１実施形態と組み合わせるようにしてもよい。即ち、端子カバー支持部材１４をボルトＢ及び六角ナットＮだけでなく、端子カバー支持部材１４と端子部３２との間の係合構造４１によっても固定する。このようにすれば、端子カバー支持部材１４を端子部３２に、より確実に固定することができる。
【０１０２】
・第１〜第３実施形態において、段部３１ｄを省略すると共に、導電部３１の外周面における両廻止め部３１ｅ，３１ｅ間にそれぞれ突部を設けるようにしてもよい（この部分は、横断面十字状となる）。この場合、前記突部の導電部３１の外周面からの突出高さは廻止め部３１ｅよりも低くする。具体的には、前記両突部の外面間の距離が段部３１ｄの外径と同じ程度となるように、突部の導電部３１の外周面からの突出高さを設定する。
【０１０３】
（付記）
次に前記実施形態及び別例から把握できる技術的思想を以下に追記する。
（イ）前記係合手段は、前記端子カバー支持部材に対して係合可能に設けられた凹凸構造である請求項３に記載の開閉器用ブッシングにおける端子カバー支持部材の固定構造。この構成によれば、端子カバー支持部材は端子部の凹凸構造に係合することにより端子部に固定される。端子部には凹凸を設けるだけのため、端子カバー支持部材との係合構造が簡単になる。
【０１０４】
（ロ）前記凹凸構造は、前記端子カバー支持部材に係合可能に形成された複数の突部及び複数の凹部を備えており、前記端子部には、前記突部と前記凹部とを端子部の中心軸に直交する方向において交互に配置するようにした前記（イ）項に記載の端子カバー支持部材の固定構造。この構成によれば、端子部には、前記突部と前記凹部とが端子部の中心軸に直交する方向において交互に配置される。即ち、端子部にはおいて、前記突部及び前記凹部は千鳥状に配置される。このため、端子部の各突部及び各凹部に端子カバー支持部材を係合させた状態において、端子カバー支持部材のがたつきが抑制される。
【０１０５】
（ハ）前記端子部を平板状に形成し、前記端子カバー支持部材には前記端子部の横断面形状に応じた挿通孔を形成するようにした請求項１〜請求項４のうちいずれか一項に記載の端子カバー支持部材の固定構造。この構成によれば、前記端子カバー支持部材を端子部に挿通することにより、当該端子カバー支持部材の中心軸周方向への回転が規制される。従って、端子カバー支持部材の回り止めが図られる。
【０１０６】
（ニ）開閉器ケースに取り付けられたブッシングを貫通して設けられると共に外端部に端子部を備えた導電棒において、前記端子部には端子カバー支持部材を固定するための係合構造を設けるようにした導電棒。この構成によれば、端子カバー支持部材のボルト締めやピン止め等は不要となる。また、端子カバー支持部材を端子部の係合構造に係合させるだけで当該端子部に固定できる。端子カバーを端子部にワンタッチで固定することができるので、端子カバー支持部材の取り付け作業効率を向上させることができる。
【０１０７】
（ホ）前記端子部には、端子カバー支持部材側の位置決め部に当接可能とされた導電棒側の位置決め部を設けるようにした前記（ニ）項に記載の導電棒。この構成によれば、端子カバー支持部材を端子部の外方（即ち、端子部の外端側）から挿入したとき、端子カバー支持部材側の位置決め部が導電棒側の位置決め部に当接することにより、端子カバー支持部材の導電部側への移動が規制される。これにより、端子カバー支持部材の導電棒（端子部）に対する位置決めが容易にできる。
【０１０８】
（ヘ）開閉器ケースに取り付けられたブッシングを貫通して設けられると共に外端部に端子部を備えた導電棒において、前記端子部と導電棒とを一体形成するようにした導電棒。この構成によれば、部品点数が低減する。
【０１０９】
（ト）前記導電棒における端子部よりも内端側の部位には前記本体碍子に挿通される導電部とされており、前記本体碍子の外端面には凹部を設け、前記凹部の中央には前記導電部を露出させると共に前記凹部の内底部には前記端子カバー支持部材を保持するための保持手段を設け、前記端子カバー支持部材には前記凹部内に露出した導電部を覆うと共に前記端子部を挿通可能とした絶縁筒部を設け、この絶縁筒部を前記端子部の外方から挿通したとき当該前記絶縁筒部が前記保持手段により前記凹部の内底部に保持されるようにした請求項１〜請求項４のうちいずれか一項に記載の開閉器用ブッシングにおける端子カバー支持部材の固定構造。
【０１１０】
（チ）前記絶縁筒部には前記凹部内への雨水の浸入を抑制する雨水侵入防止手段を設けるようにした前記（ト）項に記載の開閉器用ブッシングにおける端子カバー支持部材の固定構造。
【０１１１】
（リ）前記絶縁筒部には当該絶縁筒部と前記導電棒との間に形成される空隙を閉塞する密閉手段を設けるようにした前記（ト）項又は前記（チ）項に記載の開閉器用ブッシングにおける端子カバー支持部材の固定構造。
【０１１２】
（ヌ）前記導電棒及び端子カバー支持部材にはそれぞれ互いに当接する位置決め部を設け、端子カバー支持部材を導電棒に外方から挿通する際、前記端子カバー支持部材側の位置決め部が前記導電棒側の位置決め部に係合することにより、当該端子カバー支持部材は導電棒１３に対して位置決めされるようにした請求項１〜請求項３のうちいずれか一項に記載の開閉器用ブッシングにおける端子カバー支持部材の固定構造。
【０１１３】
【発明の効果】
本発明によれば、端子カバー支持部材の取り付け作業効率を向上させることができる。
【図面の簡単な説明】
【図１】第１実施形態におけるブッシングの部分正断面図。
【図２】第１実施形態における端子部の正面図。
【図３】第１実施形態における端子部の平面図。
【図４】図２におけるＡ−Ａ線及びＣ−Ｃ線断面図。
【図５】図２におけるＢ−Ｂ線断面図。
【図６】第１実施形態における端子カバー支持部材の正面図。
【図７】図６におけるＤ−Ｄ線断面図。
【図８】図６におけるＥ−Ｅ線要部断面図。
【図９】図６におけるＦ−Ｆ線要部断面図。
【図１０】第２実施形態におけるブッシングの部分正断面図。
【図１１】第２実施形態におけるブッシングの部分平断面図。
【図１２】第２実施形態における端子カバー支持部材の正面図。
【図１３】第２実施形態における端子カバー支持部材の背面図。
【図１４】図１２におけるＧ−Ｇ線断面図。
【図１５】第３実施形態におけるブッシングの部分正断面図。
【符号の説明】
１０…開閉器用ブッシング、１１…開閉器ケース、１２…本体碍子、
１２ａ…凹部、１３…導電棒、１４…端子カバー支持部材、１５…端子カバー、３１…導電部、３２…端子部、
４１…固定手段、係合手段及び凹凸構造を構成する係合構造、
４２…係合構造４１を構成する第１係合部、
４３…係合構造４１を構成する第２係合部、
５１，５４…第１係合部を構成する第１係合凹部（凹部）、
５２，５３…第１係合部を構成する第１係合突部（突部）、
６１，６４…第２係合部を構成する第２係合突部（突部）、
６２，６３…第２係合部を構成する第２係合凹部（凹部）、
７７，９５…挿通孔、９３…絶縁筒部を構成するスカート部、
８１，８４…固定手段、係合手段及び凹凸構造を構成する溝部、
８２，８３…固定手段、係合手段及び凹凸構造を構成する突部、
９７…固定手段を構成するねじ止め固定部、
１０３…保持手段を構成する充填剤、
１１１ａ，１１１ｂ，１１１ｃ…雨水侵入防止手段を構成する鍔部、
１１２…密閉手段を構成する密閉部材、Ｂ…固定手段を構成するボルト、
Ｎ…固定手段を構成する六角ナット。
【図１】
2004356074.tif 000003
【図２】
2004356074.tif 000004
【図３】
2004356074.tif 000005
【図４】
2004356074.tif 000006
【図５】
2004356074.tif 000007
【図６】
2004356074.tif 000008
【図７】
2004356074.tif 000009
【図８】
2004356074.tif 000010
【図９】
2004356074.tif 000011
【図１０】
2004356074.tif 000012
【図１１】
2004356074.tif 000013
【図１２】
2004356074.tif 000014
【図１３】
2004356074.tif 000015
【図１４】
2004356074.tif 000016
【図１５】
2004356074.tif 000017